(57)【要約】      （修正有）【課題】チューブ容器内に充填された流動性内容物を効率よく取り出すことができるチューブ容器絞り器を提供する。【解決手段】底板２、厚壁基幹部１４及び薄壁部１５とからなる側壁基部１２、並びに上端くびれ部１３を備える側壁３を一対備えると共に、側壁に挟まれた空間において底板に設けられた固定溝に固定されたアーチ型板状支持部材４、及び巻き込み軸７を有する巻き込み部材９を備える。巻き込み軸の切れ込み６にチューブ容器の基端部を取り付け、ハンドル部８を回転させてチューブ容器を巻き込むことによって容器内に充填された流動性内容物を効率的に絞り出すことができる。【選択図】図１
0003195369.tif 000002
【実用新案登録請求の範囲】
【請求項１】
底板を備え、卓上に載置した状態でチューブ容器を巻き込みながら流動性内容物を絞り出すために使用するチューブ容器絞り器であって、
前記底板上面に、前後方向に平行となるように互いに離間して立設された一対の側壁と、
前記底板上面の前記一対の側壁に挟まれる位置に前記一対の側壁よりも低くなるように設置され、前から後方に向かって上方に凸の曲板状に形成されてなるアーチ型板状支持部材と、
前記アーチ型板状支持部材の頂点と前記一対の側壁の間に前方から水平に挿し込まれて設置され、周面から軸中心に向かって切れ込みを有する円筒状の巻き込み軸、及び該巻き込み軸の前端に設けられたハンドル部からなる巻き込み部材と、
前記一対の側壁によって囲まれ、前後端及び上端において解放して形成されたチューブ容器巻き込み空間とを備え、
前記一対の側壁は、下端から上方に向かうに従って互いに内側方向に湾曲して形成された側壁基部と、前記側壁基部から上方に連続して形成された上端くびれ部とからなり、
前記側壁基部は、下端部が壁厚の厚い厚壁基幹部と、該厚壁基幹部から上方に向かって連続的に壁厚が薄く形成された薄壁部とからなり、
前記上端くびれ部は、対向する内面が最接近する絞り口部と、該絞り口部から側壁上端に向かって拡開する挿入ガイド部とからなり、
前記上端くびれ部は、側壁の内面及び外面が内側方向に凸の曲面を形成すると共に、上端くびれ部の上下端より前記絞り口部が肉厚に形成されてなり、
前記アーチ型板状支持部材は、前後端部が底板上面に設けられた固定溝に差し込まれることによって固定されてなる
ことを特徴とするチューブ容器絞り器。
【考案の詳細な説明】
【技術分野】
【０００１】
本考案は、練り歯磨き粉等の高粘性の流動性内容物を充填した柔軟性のあるチューブ容器から、前記流動性内容物を絞り出すために用いられるチューブ容器絞り器に関する。
【背景技術】
【０００２】
従来、チューブ容器を軸に巻き付けながら、チューブ容器内に充填された流動性内容物を絞り出す器具が提案されていた。
【先行技術文献】
【特許文献】
【０００３】
【特許文献１】公開実用昭５６−２６６５１
【考案の概要】
【考案が解決しようとする課題】
【０００４】
しかし、従来から提案されている器具は、チューブ容器内に流動性内容物を効率的に取り出すための機能が十分に備わっているとは言えなかった。
【課題を解決するための手段】
【０００５】
そこで、上記課題を解決するための手段として本考案に係るチューブ容器絞り器は、底板を備え、卓上に載置した状態でチューブ容器を巻き込みながら流動性内容物を絞り出すために使用するチューブ容器絞り器であって、前記底板上面に、前後方向に平行となるように互いに離間して立設された一対の側壁と、前記底板上面の前記一対の側壁に挟まれる位置に前記一対の側壁よりも低くなるように設置され、前から後方に向かって上方に凸の曲板状に形成されてなるアーチ型板状支持部材と、前記アーチ型板状支持部材の頂点と前記一対の側壁の間に前方から水平に挿し込まれて設置され、周面から軸中心に向かって切れ込みを有する円筒状の巻き込み軸、及び該巻き込み軸の前端に設けられたハンドル部からなる巻き込み部材と、前記一対の側壁によって囲まれ、前後端及び上端において解放して形成されたチューブ容器巻き込み空間とを備え、前記一対の側壁は、下端から上方に向かうに従って互いに内側方向に湾曲して形成された側壁基部と、前記側壁基部から上方に連続して形成された上端くびれ部とからなり、前記側壁基部は、下端部が壁厚の厚い厚壁基幹部と、該厚壁基幹部から上方に向かって連続的に壁厚が薄く形成された薄壁部とからなり、前記上端くびれ部は、対向する内面が最接近する絞り口部と、該絞り口部から側壁上端に向かって拡開する挿入ガイド部とからなり、前記上端くびれ部は、側壁の内面及び外面が内側方向に凸の曲面を形成すると共に、上端くびれ部の上下端より前記絞り口部が肉厚に形成されてなり、前記アーチ型板状支持部材は、前後端部が底板上面に設けられた固定溝に差し込まれることによって固定されてなることを特徴とする。
【０００６】
チューブ容器は、樹脂若しくは金属を用いた柔軟な袋状に形成した収納胴部と、流動性内容物を取り出すために前記収納胴部の頭部に設けられた吐出口とを備えたものであることが好ましい。
【０００７】
チューブ容器に詰められている流動性内容物としては、練り歯磨き粉、練りわさび、ハンドクリーム、若しくは接着剤等の高粘性の流動体からなる食品、化粧品、薬品、若しくは接着剤等が挙げられる。
【０００８】
底板の形状は特に限定されないが、チューブ容器絞り器全体を嵩張らせないために薄板状であることが好ましい。また、底板は、底面の少なくとも一部が平坦な平坦部が形成されてなることが好ましく、チューブ容器絞り器を卓上に置いた状態で使用することができる。これにより、チューブ容器から流動性内容物を所望の量だけ吐出口から膨出させた状態であっても、チューブ容器の吐出口を上方に向けた状態でチューブ容器絞り器を卓上に置くことができ、チューブ容器絞り器を自由に持ち直した後、流動性内容物を目的物に対して使用することができる。
【０００９】
一対の側壁は、底板と一体に成形されていることが好ましい。チューブ容器を巻き込むことによって底板と側壁との接続部分に負荷がかかるため、一体に成形することによって前記負荷に対する耐久性を高めることができるからである。また、底板と一対の側壁は熱可塑性樹脂によって成形されることで、同一形状の商品を効率よく大量生産することができる。
【００１０】
一対の側壁は、底板上に立設されてなり、底板より上においては互いに離間しており、各側壁は底板を介してのみ連結されてなる。
【００１１】
アーチ型板状支持部材は、一対の側壁の間において底板上面に設置されてなる。アーチ型板状支持部材は、設置された際にアーチ部分の上端が一対の側壁の上端よりも低い位置となるように形成されてなることによって、アーチ型板状支持部材と一対の側壁の間に巻き込み軸を挿し入れる空間を確保することができる。アーチ型板状支持部材は、底板から着脱可能な別部材に成形されてなる。また、アーチ型板状支持部材は、熱可塑性樹脂によって成形されてなることが好ましい。
【００１２】
アーチ型板状支持部の前後端部は、底板に設けられた固定溝に上方から挿し込まれて固定されてなることが好ましい。アーチ型板状支持部の前後端部は、前記アーチ部分の前後端から下方に向かって突設された舌片に形成されたものであっても好ましい。また固定溝は、前記前後端部を挿し込むことができる窪みと、前記前後端部を前後方向外側から係止可能な係止部を備えてなるものであることが好ましい。なお、固定溝は有底に形成されてもよいが、底板を貫通した貫通孔に形成されたものであってもよい。
【００１３】
巻き込み部材に設けられた巻き込み軸には切れ込みが形成されてなり、当該切れ込みに前記吐出口とは反対側のチューブ容器の基端部を挿し入れることによって、巻き込み部材にチューブ容器を固定することができる。
【００１４】
前記切れ込みは、巻き込み軸の後端面において解放端を形成してなることが好ましい。このように形成されることにより、チューブ容器の基端部を前記切れ込みの解放端から前方向に向かって摺動させながら挿し入れることができ、巻き込み軸の周面から軸中心に向かって挿入するよりも、前記基端部を強固に固定することができる。なお、前記解放端を後方に向かって拡開する形状に形成することにより、チューブ容器の基端部を切れ込みの後方から挿し入れる作業をより容易にすることができる。
【００１５】
また、前記切れ込みの巻き込み軸の軸中心部は、前記切れ込みの周面における解放端よりも径方向に幅広な切れ込みである幅広部が形成されてなることが好ましい。チューブ容器の基端部は密閉性を高めるために溶着等され、収納胴部よりも肉厚に形成されている場合がある。このような肉厚の基端部を有するチューブ容器であっても、肉厚に形成されたチューブ容器の基端部を前記幅広部に導入すると共に、チューブ容器の収納胴部を巻き込み軸の周面における前記解放端部で挟持することで、チューブ容器の巻き込み軸に対する強固な固定を実現することができる。さらに、前記幅広部を形成した場合も、前記幅広部の後端面を解放端となるように形成することによって、チューブ容器の基端部を前記幅広部へ導入する作業を容易にすることができる。
【００１６】
巻き込み軸の前端に設けられたハンドル部は、巻き込み軸よりも回転軸に対して垂直方向に突出した平板状に形成されてなることが好ましい。平板状に形成されたハンドル部は、回転軸に対して垂直方向の両端部が一側面側に屈曲してなる形状に形成されていることが好ましい。当該屈曲した両端部に指を掛け止めながらハンドル部を回すことで軸回転方向に力を加え易くする効果がある。なお、ハンドル部は、巻き込み軸と同軸円筒状のダイヤル形状に形成されてなるものであっても好ましい。ダイヤル形状に形成されたハンドル部の外周面には、滑り止め用の溝、窪み、若しくは突点が多数形成されてなることが好ましい。
【００１７】
一対の側壁によって挟まれた空間は、巻き込み軸によって巻き込まれたチューブ容器が収納されるチューブ容器巻き込み空間を形成し、当該空間は前方から後方に向かって導通してなる。また、チューブ容器巻き込み空間の上端は解放されており、巻き込み軸にチューブ容器が取り付けられた巻き込み部材を装着する際には、チューブ容器巻き込み空間の前方から挿し入れると同時に、チューブ容器の収納胴部を絞り口部及び挿入ガイド部にも前方から挿し入れることができる。挿入ガイド部には、チューブ容器を側壁の上端縁にひっかけることなくスムーズにチューブ容器巻き込み空間内へ巻き込ませる効果がある。
【００１８】
前記側壁基部を構成する厚壁基幹部は、厚壁基幹部の最外面からチューブ容器巻き込み空間を形成する内面までの厚みが、薄壁部よりも厚く構成されていればよい。厚壁基幹部は、例えば内部が樹脂等で充填されていても良いが、内部は一部が空洞に形成されていても良い。厚壁基幹部の内部の一部を空洞に形成する場合には、外面と内面とがリブ構造によって継合される等により、補強された構造を有することが好ましい。厚壁基幹部は、チューブ容器が絞り口部に挿し入れる前後においても形態を保持することにより、チューブ容器が挿し入れられた状態の絞り口部に対して絞り口部が閉塞する方向へ圧力を与えることができる。この効果により、絞り口部が必要以上に押し広げられることを防止し、流動性内容物をチューブ容器の内部に残留させないように絞り出すことができる。
【００１９】
薄壁部は、厚壁基幹部よりも壁厚が薄く形成されてなることにより、薄壁部の上方に形成された上端くびれ部に対して、左右方向への可撓性を具備させることができる。絞り口部にチューブ容器を挿し入れる際には、薄壁部を基点として絞り口部が僅かに外方へ押し広げられるため、様々な厚みを有するチューブ容器を絞り口部へ挿し入れることができる。一方で、薄壁部と絞り口部との距離が短いことから、絞り口部の広がり幅を必要最小限に抑制することができる。
【００２０】
また、流動性内容物の残留が気になる場合には、上端くびれ部の外面を左右両側から指で押し縮めることによって薄壁部が内側へ変形し、絞り口部をより閉塞させることができる。上端くびれ部を指で押し縮めた状態でチューブ容器を巻き込んでいくことで、流動性内容物の残留をより抑止させることができる。
【００２１】
側壁基部の厚みが均一である場合には、側壁基部の厚みを均一に厚く形成するとチューブ容器を絞り口部へ挿し入れる際に絞り口部が広がらないため挿し入れ作業が困難となる。一方、側壁基部の厚みを均一に薄く形成すると絞り口部が広がる際に側壁基部全体が外方へ撓むため、絞り口部を大きく押し広げることができ、チューブ容器を絞り口部へ容易に挿し入れることができるが、流動性内容物を絞り出す際に絞り口部を閉塞させる圧力が不足し、チューブ容器内に流動性内容物を残留させてしまう恐れがある。
【００２２】
厚壁基幹部及び薄壁部を備えてなる側壁基部を有する本考案に係るチューブ容器絞り器であれば、チューブ容器を絞り口部へ挿し入れる準備作業は行いやすく、さらに流動性内容物の残留を抑えるため絞り口部からチューブ容器へ強い圧力を与えることができ、側壁基部の厚みが均一に形成される場合よりも準備作業及び絞り出すことができる内容物量の効率を向上させることができる。
【００２３】
前記上端くびれ部は、側壁の内面及び外面が内側方向に凸の曲面を形成すると共に、上端くびれ部の上下端より前記絞り口部が肉厚に形成されてなるため、上端くびれ部をつまんで絞り口部を押し縮める際にも、上端くびれ部自体が形状変化を生じ難く、指が上端くびれ部にかけた圧力を、絞り口部を介して効率的にチューブ容器に与えることができる。
【００２４】
アーチ型板状支持部材は、巻き込み軸の外周にチューブ容器が巻き付けられて徐々に外径が大きくなるにつれてアーチ部分の上面が下方へ押し付けられ、前後方向へ押し広がろうとする。ここでアーチ型板状支持部材の前後端部は底板に固定されてなるため、巻き込み軸に取り付けられたチューブ容器を側壁の内面へ強く押しつけながら巻き込むことができる。
【００２５】
これにより、絞り口部を通過した流動性内容物があっても、巻き込み軸に巻き込まれる前に前記通過した流動性内容物を押し出すことができるため、より効率的にチューブ容器の流動性内容物を絞り出すことが可能となる。
【考案の効果】
【００２６】
本考案によれば、厚壁基幹部、薄壁部、及び上端くびれ部を備えた一対の側壁と、アーチ型板状支持部材とを備えることで、二段階に流動性内容物を絞り出すことができるため、チューブ容器の流動性内容物を従来よりも効率的に絞り出すことができる。
【００２７】
また、チューブ巻き込み空間に巻き込まれたチューブ容器を、底板に固定されたアーチ型板状支持部材によって側壁の内面に強く押し付けることで、絞り口部を通過してしまった流動性内容物をも絞り出すことができる。
【図面の簡単な説明】
【００２８】
【図１】チューブ容器絞り器１の全体斜視図である。
【図２】チューブ容器絞り器１の分解斜視図である。
【図３】チューブ容器１０を絞っている途中の状態を示す斜視図である。
【図４】チューブ容器１０を絞っている途中の状態を示す横断面図である。
【図５】チューブ容器１０を絞っている途中の状態を示す前後方向の縦断面図である。
【考案を実施するための形態】
【００２９】
以下、本考案に係る実施の形態を、図を参照しながら詳しく説明する。
【００３０】
図１は、本考案に係るチューブ容器絞り器１の全体斜視図である。チューブ容器絞り器１の底板２の上面には、図１中の矢印Ｘ方向を前方向、矢印ＬＲ方向を左右方向として、前後方向に平行となり、また、互いに左右方向に離間して上方に立設された一対の側壁３が底板２と一体に形成されてなる。
【００３１】
また、前記底板２の上面には、前記一対の側壁３の内面に挟まれる位置に、前記一対の側壁３よりも低くなるようにアーチ型板状支持部材４が設置されてなる。アーチ型板状支持部材４は、図２の部品図に示すように、前から後方に向かって上方に凸の曲板状に形成されてなる。本実施の形態において、アーチ型板状支持部材４の左右両側縁は、アーチ型板状支持部材４の中心部よりもわずかに肉厚の補強縁５に形成されてなる。
【００３２】
前記アーチ型板状支持部材４の頂点と前記一対の側壁３の間には、前方から水平に挿し込まれて設置され、周面から軸中心に向かって切れ込み６を有する円筒状の巻き込み軸７、及び該巻き込み軸７の前端に設けられたハンドル部８からなる巻き込み部材９が設置されてなる。
【００３３】
また、前記一対の側壁３によって囲まれ空間には、前記巻き込み部材９によって巻き込まれたチューブ容器１０を収納するチューブ容器巻き込み空間１１を形成する。チューブ容器巻き込み空間１１は、前後端及び上端において解放されてなる。
【００３４】
前記一対の側壁３は、下端から上方に向かうに従って互いに内側方向に湾曲して形成された側壁基部１２と、前記側壁基部１２から上方に連続して形成された上端くびれ部１３とからなる。
【００３５】
前記側壁基部１２は、下端部が壁厚の厚い厚壁基幹部１４と、該厚壁基幹部１４から上方に向かって連続的に壁厚が薄く形成された薄壁部１５とからなる。
【００３６】
前記上端くびれ部１３は、対向する内面が最接近する絞り口部１６と、該絞り口部１６から側壁上端に向かって拡開する挿入ガイド部１７とからなる。前記上端くびれ部１３は、側壁の内面及び外面が内側方向に凸の曲面を形成すると共に、上端くびれ部１３の上下端より前記絞り口部１６が肉厚に形成されてなる。
【００３７】
前記アーチ型板状支持部材４の前後端において下方に突出させて設けられた舌片１８が、底板上面に設けられた固定溝１９に差し込まれることによって固定されてなる。
【００３８】
本実施の形態において、底板２は底面から見て外形が長方形に形成された薄板状に形成され、左右両右側縁には底面が平坦に形成された脚部２０が形成されている。従って、前記脚部２０を卓上に接地させることで、チューブ容器絞り器１を卓上に置いた状態で使用することができる。
【００３９】
固定溝１９は、底板２を貫通して形成された左右方向に細長の貫通孔２１、及び当該貫通孔２１の外側に隣接して形成された前後方向に長軸を有する棒状係止片２２によって形成されてなる。なお、２本の棒状係止片２２に代えて平板状係止片にしてもよい。舌片１８が貫通孔２１に挿し込まれることによってアーチ型板状支持部材５が底板２に固定され、チューブ絞り器１の使用中に前後方向へ押し広がろうとする舌片１８を棒状係止片２２によって係止することができる。なお、前記棒状係止片２２は、貫通孔２１の中心付近に２本並列して設けられてなる。
【００４０】
巻き込み部材９に設けられた巻き込み軸７には、図２に示すように切れ込み６が形成されてなり、当該切れ込み６にチューブ容器の基端部２３を挿し入れることによって、巻き込み部材９にチューブ容器１０を固定することができる。
【００４１】
前記切れ込み６は、図２に示すように巻き込み軸７の後端面において解放端を形成してなる。このように形成されることにより、チューブ容器の基端部２３を前記切れ込み６の解放端から前方向に向かって摺動させながら挿し入れることができ、巻き込み軸７の周面から軸中心に向かって挿入するよりも、前記基端部２３を強固に固定することができる。なお、本実施の形態において、前記切れ込み６の解放端は後方に向かって拡開する挿し入れ口２４に形成することにより、チューブ容器の基端部２３を切れ込み６の後方から挿し入れる作業をより容易にすることができる。
【００４２】
また、前記切れ込み６の巻き込み軸７の軸中心部には、前記切れ込み６の周面における解放端よりも径方向に幅広な切れ込みである幅広部２５が形成されてなる。幅広部２５の後端面は、切れ込み６の後端面と同様に解放端となるように形成されてなる。これによりチューブ容器の基端部２３を前記幅広部２５へ導入する作業を容易にすることができる。切れ込み６の軸中心部が幅広部２５に形成されてなることで、図４の断面図に示すように、チューブ容器１０の基端部２３が密閉性を高めるために溶着等され、肉厚に形成されたものであっても余裕をもって挿し入れることができる。
【００４３】
巻き込み軸７の前端に設けられたハンドル部８は、巻き込み軸７よりも回転軸に対して垂直方向に突出した平板状に形成されてなる。さらにハンドル部８は、回転軸に対して垂直方向の両端部２６，２６が一側面側に屈曲してなる形状に形成されている。当該屈曲した両端部２６，２６に指を掛け止めながらハンドル部８を回すことで軸回転方向に力を加え易くする効果がある。
【００４４】
側壁３に挟まれた空間はチューブ容器巻き込み空間１１を形成し、当該空間は前方から後方に向かって導通してなる。また、チューブ容器巻き込み空間１１の上端は図３及び図４にしめすように解放されており、巻き込み軸７にチューブ容器１０が取り付けられた巻き込み部材９を装着する際には、チューブ容器巻き込み空間１１の前方から巻き込み部材９を挿し入れると同時に、チューブ容器１０の収納胴部２７を絞り口部１６及び挿入ガイド部１７にも前方から挿し入れることができる。挿入ガイド部１７には、チューブ容器１０を側壁３の上端縁にひっかけることなくスムーズにチューブ容器巻き込み空間１１内へ巻き込ませる効果がある。
【００４５】
前記側壁基部１２を構成する厚壁基幹部１４は、図１及び図２に示すように外面から内面までの厚みが、薄壁部１５よりも厚く構成されている。本実施の形態によれば、厚壁基幹部１４の内部は図４に示すように一部が空洞に形成されており、厚壁基幹部１４の外面と内面とがリブ２８によって継合されてなる。厚壁基幹部１４は、リブ２８を有することによりチューブ容器１０が絞り口部１６に挿し入れる前後においても形態を保持することができる。これにより、チューブ容器１０が挿し入れられた状態の絞り口部１６に対して、絞り口部１６が閉塞する方向へ圧力を与えることができる。この効果により、絞り口部１６が必要以上に押し広げられることを防止し、流動性内容物をチューブ容器１０の内部に残留させないように絞り出すことができる。
【００４６】
薄壁部１５は、厚壁基幹部１４よりも壁厚が薄く形成されてなることにより、薄壁部１５の上方に形成された上端くびれ部１３に対して、左右方向への可撓性を具備させることができる。絞り口部１６にチューブ容器１０を挿し入れる際には、薄壁部１５を基点として絞り口部１６が僅かに外方へ押し広げられるため、様々な厚みを有するチューブ容器１０を絞り口部１６へ挿し入れることができる。一方で、薄壁部１５と絞り口部１６との距離が短いことから、絞り口部１６の広がり幅を必要最小限に抑制することができる。
【００４７】
また、チューブ容器１０の流動性内容物の残留が気になる場合には、上端くびれ部１３の外面を左右両側から指で押し縮めることによって薄壁部１５が内側へ変形し、絞り口部１６をより閉塞させることができる。上端くびれ部１３を指で押し縮めた状態でチューブ容器１０を巻き込んでいくことで、流動性内容物の残留をより抑止させることができる。
【００４８】
本考案に係るチューブ容器絞り器１は、チューブ容器１０を絞り口部１６へ挿し入れる準備作業は行いやすく、さらに流動性内容物の残留を抑えるため絞り口部１６からチューブ容器１０へ強い圧力を与えることができ、側壁基部の厚みが均一に形成される場合よりも準備作業及び絞り出すことができる内容物量の効率を向上させることができる。
【００４９】
前記上端くびれ部１３は、側壁３の内面及び外面が内側方向に凸の曲面を形成すると共に、上端くびれ部１３の上下端より前記絞り口部１６が肉厚に形成されてなるため、上端くびれ部１３をつまんで絞り口部１６を押し縮める際にも、上端くびれ部１３自体が形状変化を生じ難く、指が上端くびれ部１３にかけた圧力を、絞り口部１６を介して効率良くチューブ容器１０に与えることができる。
【００５０】
アーチ型板状支持部材４は、図５に示すように巻き込み軸７の外周にチューブ容器１０が巻き付けられて徐々に外径が大きくなるにつれてアーチ部分の上面が下方へ押し付けられ、前後方向へ押し広がろうとする。ここでアーチ型板状支持部材４に設けられた舌片１８は固定溝１９に挿し込まれて固定されてなるため、巻き込み軸７に取り付けられたチューブ容器１０を側壁の内面へ強く押しつけながら巻き込むことができる。
【００５１】
これにより、絞り口部１６を通過した流動性内容物があっても、巻き込み軸７に巻き込まれる前に前記通過した流動性内容物を押し出すことができるため、より効率良くチューブ容器１０の流動性内容物を絞り出すことが可能となる。
【符号の説明】
【００５２】
１    チューブ絞り器
２    底板
３    側壁
４    アーチ型板状支持部材
６    切れ込み
７    巻き込み軸
８    ハンドル部
９    巻き込み部材
１０  チューブ容器
１２  側壁基部
１３  上端くびれ部
１４  厚壁基幹部
１５  薄壁部
１６  絞り口部
１７  挿入ガイド部
１８  舌片
１９  固定溝
２０  脚部
２１  貫通孔
２２  棒状係止片
２３  基端部
２４  幅広部
２６，２６  両端部
【図１】
0003195369.tif 000003
【図２】
0003195369.tif 000004
【図３】
0003195369.tif 000005
【図４】
0003195369.tif 000006
【図５】
0003195369.tif 000007